【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
生物系での用途のためのマイクロデバイスであって、
外膜と、マイクロ機械特性、マイクロ化学特性、マイクロ化学機械特性、マイクロ光学特性、マイクロ音響特性、マイクロ生物学特性、マイクロ生化学特性、マイクロ生化学機械特性、マイクロ電子生化学機械特性、マイクロ電子化学機械特性、マイクロ電子機械特性、マイクロ電磁機械特性、マイクロ音響機械特性、マイクロ熱機械特性、マイクロ熱電気特性、マイクロ熱電子機械特性及びマイクロ超伝導機械特性から成る群から選択される特性とを含み、前記マイクロデバイスは、大きさが約１〜５ミリメートルである
ことを特徴とするマイクロデバイス。
【請求項２】
マイクロ機械特性、マイクロ化学特性、マイクロ化学機械特性、マイクロ光学特性、マイクロ音響特性、マイクロ生物学特性、マイクロ電子機械特性、マイクロ電磁機械特性、マイクロ音響機械特性、マイクロ熱機械特性、マイクロ熱化学機械特性、マイクロ熱電気特性、マイクロ熱電子機械特性及びマイクロ超伝導機械特性から成る群から選択される２つの特性を含む
請求項１に記載のマイクロデバイス。
【請求項３】
荷電表面、電位、化学電位、幾何学的整合性、電磁気、イオン勾配、熱勾配、表面張力、機械力、電子化学的電位、物理的力に関連する引力から成る群から選択される特性を含む
請求項１に記載のマイクロデバイス。
【請求項４】
正常細胞と癌細胞の鑑別が可能である
請求項１に記載のマイクロデバイス。
【請求項５】
器官構造及び細胞構造の微視的特性を測定し、微視的レベルで器官及び細胞構造を診断して、微視的レベルで所望の化学物質を器官構造及び細胞構造に送達し、微視的レベルで所望の薬剤を器官構造及び細胞構造に送達し、微視的レベルで選択された器官構造及び細胞構造を操作することが可能である
請求項１に記載のマイクロデバイス。
【請求項６】
非侵襲的方法で機能を実行する
請求項５に記載のマイクロデバイス。
【請求項７】
リアルタイムで機能を実行する
請求項５に記載のマイクロデバイス。
【請求項８】
表面電荷、静止電位、電子化学的電位、電位、表面湿潤性、接触角、密着率、温度、密度、摩擦力、硬度、表面張力、微量化学物質濃度、疎水度、親水度、ｐＨ、液体流量、圧力、光学特性、吸収、吸着及び組成から成る群から選択される少なくとも１つの特性を測定することが可能である
請求項５に記載のマイクロデバイス。
【請求項９】
衛星測位システム（ＧＰＳ）、信号送信器、信号受信器、マイクロモータ、マイクロプロペラ、ＲＦ通信チップ、論理回路及びメモリ回路を含む
請求項１に記載のマイクロデバイス。
【請求項１０】
化学送達機能、制御化学送達機能、機械的動作、制御機械的動作、選択吸収、選択吸着、微視的レベルでの検出、電子機械的時限動作、制御電子機械的動作、制御電子化学機械的動作、制御電子生物学的動作、制御電子化学生物学的動作、制御電子化学生物学的動作、制御電子化学生物機械的動作、検出された信号によって開始される動作、外部命令によって開始される動作から成る群から選択される機能を含む
請求項１に記載のマイクロデバイス。
【請求項１１】
有機構造に対する化学送達、機械力動作、電荷注入、発光、電圧印加、冷却及び加熱から成る群から選択される動作のために予めプログラミングされた開始機能を有する
請求項１に記載のマイクロデバイス。
【請求項１２】
前記開始機能は、デバイスによって検出される電荷、静止電位、電位、電子化学的電位、表層流、バルク電流、表面湿潤性、密着性、疎水度、親水度、流動性、電場、磁場、音場、温度、光波長ならびに／または光度、摩擦力及び摩擦係数、硬度、圧力及び外部信号から成る群から選択されるパラメータの群から用いることによって達成される
請求項１１に記載のマイクロデバイス。
【請求項１３】
対象とするｐＨ範囲での溶解能力を３０秒〜３日間有する
請求項１に記載のマイクロデバイス。
【請求項１４】
有機的組織に比較的適合するポリマー、有機材料及び無機材料から成る群から選択される材料を含む
請求項１に記載のマイクロデバイス。
【請求項１５】
少なくとも１つの機能性を備える１つのユニットに複数のサブデバイスが集積した１つの材料を含む
請求項１に記載のマイクロデバイス。
【請求項１６】
ポリマー、有機物質、生体物質、生化学物質、無機導体、無機半導体、無機絶縁体及びセラミックから成る群から選択される材料を含む
請求項１に記載のマイクロデバイス。
【請求項１７】
生体物質は、人工生体物質、自然生体物質、培養生体物質及び自然生体物質と人工生体物質との組み合わせから成る群から選択される
請求項１６に記載のマイクロデバイス。
【請求項１８】
大きさが約０．０１ミクロン〜５ミリメートルである
請求項１５に記載のマイクロデバイス。
【請求項１９】
検知機能、検出機能、測定機能、計算機能、解析機能、診断機能、論理処理（意思決定）機能、送信機能及び手術機能または外科的機能から成る群から選択される１つの機能を含む集積化マイクロデバイスである
請求項１に記載のマイクロデバイス。
【請求項２０】
電圧比較器、４点プローブ、計算機、論理回路、メモリユニット、マイクロカッター、マイクロハンマー、マイクロシールド、マイクロダイ、マイクロピン、マイクロナイフ、マイクロニードル、マイクロスレッドホルダ、マイクロピンセット、マイクロ光吸収体、マイクロミラー、マイクロホイラー、マイクロフィルタ、マイクロチョッパ、マイクロシュレッダ、マイクロポンプ、マイクロ吸収体、マイクロ信号検出器、マイクロドリル、マイクロ吸盤、マイクロテスター、マイクロコンテナ、マイクロプーラー、信号送信器、信号発生器、摩擦力センサ、電荷センサ、温度センサ、硬度検出器、音波発生器、光波発生器、熱機械的デバイス、熱化学機械的デバイス、熱電子機械的デバイス、熱発生器、マイクロ冷蔵器、マイクロ信号送信器、マイクロ信号受信器及び電荷発生器から成る群から選択されるハードウエアを含む
請求項１に記載のマイクロデバイス。
【請求項２１】
集積回路製造方法、半導体製造方法、機械的製造方法、化学的処理方法、合成方法、電子化学的処理方法、生物学的処理方法、生化学的処理方法及びレーザー処理方法から成る群から選択される方法によって製造される
請求項１に記載のマイクロデバイス。
【請求項２２】
クリーナ、フィルタ、シュレッダまたはインジェクタを含む
請求項１に記載のマイクロデバイス。
【請求項２３】
研磨パッドを備える研磨ユニットを含む
請求項１に記載のマイクロデバイス。
【請求項２４】
疾患の早期検出及び予防のために生命生体系を連続走査し、解析するためのマイクロテスターである
請求項１に記載のマイクロデバイス。
【請求項２５】
センサ、試料採取のためのマイクロチップ、採取試料を試験するためのマイクロアレイ、データ解析ユニットまたは信号送信器を含む
請求項１に記載のマイクロデバイス。
【請求項２６】
動脈洗浄に使用される
請求項１に記載のマイクロデバイス。
【請求項２７】
ｉｎ  ｖｉｖｏでの早期癌検出検査及び予防に使用される
請求項１に記載のマイクロデバイス。
【請求項２８】
生物系外の用途のためのマイクロデバイスであって、
外膜と、マイクロ機械特性、マイクロ化学特性、マイクロ化学機械特性、マイクロ光学特性、マイクロ音響特性、マイクロ生物学特性、マイクロ電子機械特性、マイクロ電磁機械特性、マイクロ音響機械特性、マイクロ超伝導機械特性から成る群から選択される１つの特性とを含み、大きさが約１オングストローム〜５ミリメートルである
ことを特徴とするマイクロデバイス。